(57)【要約】【課題】  点灯直後の線条光源からの照射光の輝度の低下を来たすことなくランプスペーサで線条光源を保持することのできるバックライト装置を得る。【解決手段】  複数の円筒状ランプ３が筐体１内に配設される。円筒状ランプ３からの照射光及び筐体１内面の反射体で反射された反射光は筐体１の開口部に設けた光透過拡散板４から面発光させる。円筒状ランプ３は幅寸法を０．１ｍｍ以上２ｍｍ未満とするランプスペーサ１０で保持される。  【選択図】        図１
2005209475.tif 000002
【特許請求の範囲】
【請求項１】
筐体の内面上に反射体が形成され、前記反射体上に複数の線条光源が環状のランプスペーサを介して配されると共に、前記線条光源からの照射光及び前記反射体から反射光を前記筐体の開口部に設けた板状拡散手段から出光するバックライト装置において、
前記ランプスペーサの幅寸法を０．１ｍｍ以上２ｍｍ未満とすることを特徴とするバックライト装置。
【請求項２】
請求項１記載のバックライト装置において、前記ランプスペーサの取り付け位置を前記線条光源の１個毎に交互に違えて千鳥状に取り付けていることを特徴とするバックライト装置。
【請求項３】
請求項１記載のバックライト装置において、前記ランプスペーサの取り付け位置を前記複数の線条光源に対してランダムに配置したことを特徴とするバックライト装置。
【請求項４】
筐体の内面上に反射体が形成され、前記反射体上に複数の線条光源が環状のランプスペーサを介して配されると共に、前記線条光源からの照射光及び前記反射体から反射光を前記筐体の開口部に設けた板状拡散手段から出光するバックライト装置において、
前記ランプスペーサは、幅寸法を２ｍｍとし前記ランプスペーサの取り付け位置を前記複数の線条光源に対してランダムに配置したことを特徴とするバックライト装置。
【発明の詳細な説明】
【技術分野】
【０００１】
本発明は、液晶表示装置に使用されるバックライト装置に関する。
【背景技術】
【０００２】
図７（Ａ）は、従来の直下方式のバックライト装置を示す平面図であり、図７（Ｂ）は図７（Ａ）のＢ−Ｂ断面矢視図、図７（Ｃ）は図７（Ａ）のＣ−Ｃ断面矢視図を示している。
【０００３】
バックライト装置のランプハウスとなる筐体１は上面に開口部１ａを有する断面が台形状の箱状と成され、合成樹脂で一体成型するか、金属板或いは金属板と合成樹脂を組み合わせて作製される。
【０００４】
筐体１内面には高反射塗料を塗布するか、高反射フィルム材等を貼着させて反射面としての反射板２を形成する。
【０００５】
線条光源を構成する円筒状ランプ３は筐体１の底面から１〜２ｍｍ程度離間した位置に保持されるように端部を射出成型で得た円筒状ランプ支持台５（図７（Ａ）〜図７（Ｃ）では筐体１の側板と一体化されている）に固定されていて、配置する円筒状ランプ３の本数は要求される輝度によって決定される。
【０００６】
上記した各部品を組立て、上面に乳白色アクリル樹脂等を用いた乳白色光透過拡散板４を開口部１ａを覆うように配置させることでバックライト装置６が構成される。円筒状ランプ３から放射状に発した照射光は筐体１内の反射板２で反射された反射光と共に乳白色光透過拡散板４に到達し、乳白色光透過拡散板４で面発光に変換される。
【０００７】
又、乳白色光透過拡散板４の表面には少なくとも１枚の光学シートとしての集光シート９が配設されて照光面の法線方向に光を集光させている。又、乳白色光透過拡散板４の中央部分での撓みを防止するために筐体１内の底面からピン７を立設する。
上述したバックライト装置６は、例えば特許文献１に記載されている。
【０００８】
円筒状ランプ３は両端が円筒状ランプ支持台５の内側面で固定されているが、表示面の大型化、薄膜化に伴い長寸化及び小径化されつつあり、自重により中央が撓む虞があった。円筒状ランプ３が撓むと出光面の光量が場所により不均一となる。そのため表示面に輝度むらを生じてしまう。
【０００９】
このため、従来は、図７（Ａ）に示すように円筒状ランプ３にゴム等より成る環状のランプスペーサ１０を嵌めることにより円筒状ランプ３と反射板２との間にランプスペーサ１０が介在されて円筒状ランプ３が支えられ自重による撓みが防止されている。
【００１０】
従来、ランプスペーサは光源支持台として知られていて、この光源支持台は円筒状ランプの自重による撓みが防止できる種々の形状が、例えば特許文献２に記載されている。
【特許文献１】特開２００２−１１６７０５号公報
【特許文献２】特開２００１−２６６６３４号公報
【発明の開示】
【発明が解決しようとする課題】
【００１１】
上述した従来のランプスペーサ１０は、通常、図７（Ａ）に示すように複数本の並設された円筒状ランプ３における取り付け位置を円筒状ランプの１個毎に交互に違えて千鳥状にして、筐体１の底面の反射板２に固定されている。
【００１２】
円筒状ランプ３に嵌め込まれたランプスペーサ１０の幅寸法は図示したように２ｍｍが従来の一般的な例であった。この場合、円筒状ランプ３を点灯したとき、点灯直後の輝度はランプスペーサ１０の取り付け位置に応じて図８の輝度分布特性曲線の矢印で指示した箇所に窪みｏ、ｐが生じ液晶表示装置の表示面が局部的に暗く見えてしまうことがある。
【００１３】
このように、円筒状ランプ３の点灯直後にランプスペーサ１０の設置位置で輝度が低下してしまう原因は、ランプスペーサ１０の２ｍｍの幅寸法が円筒状ランプ３からの照射光を遮断するよう影響し光透過拡散板に到達する光量を減少させてしまうこと及び２ｍｍの幅寸法を有するランプスペーサ１０が円筒状ランプ３に接触することにより熱量が奪われ管壁温度を低くすることに拠ると考えられている。
【００１４】
図９は、円筒状ランプ３に対するランプスペーサ１０の有り無し箇所の夫々の管壁温度の推移の比較を示す。ｃ曲線は円筒状ランプ３を点灯したときに点灯時間の経過と共に上昇する管壁温度を示し、幅寸法が２ｍｍ幅のランプスペーサ１０が設置されていない箇所の管壁温度の推移を示している。
【００１５】
これに対して、ｄ曲線は幅寸法が２ｍｍ幅のランプスペーサ１０が設置されている箇所の点灯時間の経過と共に上昇する円筒状ランプ３の管壁温度の推移を示している。
【００１６】
上記ｃ曲線とｄ曲線との比較から明らかなようにｄ曲線は、ランプスペーサ１０が円筒状ランプ３に接することで接触部分で熱量が奪われ点灯直後の立ち上がり温度を低下させている。
【００１７】
円筒状ランプ３が最も効率よく点灯する管壁温度は約６０℃とされているが図９に示すように点灯直後の約２５℃から６０℃に至る管壁温度が温まるまでの間、ｄ曲線に示すように管壁温度の低下を来たし、このことによりランプスペーサ１０の設置位置における円筒状ランプ３からの照射光の輝度の低下が生じてしまう。
【００１８】
図１０（ａ）乃至（ｈ）は、円筒状ランプ３に従来の２ｍｍの幅寸法を有するランプスペーサ１０を取り付けた場合に円筒状ランプ３からの照射光の時間の経過とともに変化する輝度の輝度分布特性曲線を夫々示す。
【００１９】
図１０（ａ）乃至（ｄ）は、複数の円筒状ランプ３の点灯直後の１分後、２分後、３分後、及び４分経過後の照射面で変化する輝度の輝度分布特性曲線を夫々示し、図１０（ｅ）乃至（ｈ）は、円筒状ランプ３の点灯５分後、１０分後、１５分後、及び２０分経過後の照射面で変化する輝度の輝度分布特性曲線を夫々示す。
【００２０】
図１０（ａ）乃至（ｄ）に示す円筒状ランプ３の点灯直後の１分後から４分後までの輝度分布特性曲線は、図１０（ｅ）乃至（ｈ）に示す５分後から２０分後までの輝度分布特性曲線に比較して輝度むらが生じ光量が減少し輝度が低下していることを知ることができる。
【００２１】
上述したように、従来の線条光源に従来の２ｍｍの幅寸法を有するランプスペーサ１０を取り付けた場合に線条光源の輝度の低下を来たし液晶表示装置の表示面を局所的に暗くする欠点があった。
【００２２】
又、特許文献２では円筒状ランプの自重による撓みは防止できるが光源支持台が反射板からの反射光を遮り円筒状ランプから光透過拡散板への光量を減少させてしまう。
本発明は、かかる点に鑑みてなされたものであり、線条光源の輝度の低下を来たすことなくランプスペーサを用いて線条光源を支え、線条光源の自重による撓みを防ぐことができるバックライト装置を提供することを目的とする。
【課題を解決するための手段】
【００２３】
第１の本発明のバックライト装置は、筐体の内面上に反射体が形成され、この反射体上に複数の線条光源が環状のランプスペーサを介して配されると共に、この線条光源からの照射光及び前記反射体から反射光をこの筐体の開口部に設けた板状拡散手段から出光するバックライト装置において、
このランプスペーサの幅寸法を０．１ｍｍ以上２ｍｍ未満としたものである。
【００２４】
又、第２の本発明のバックライト装置は、筐体の内面上に反射体が形成され、この反射体上に複数の線条光源が環状のランプスペーサを介して配されると共に、この線条光源からの照射光及び前記反射体から反射光を前記筐体の開口部に設けた板状拡散手段から出光するバックライト装置において、
このランプスペーサは、幅寸法を２ｍｍとし前記ランプスペーサの取り付け位置を前記複数の線条光源に対してランダムに配置したものである。
【発明の効果】
【００２５】
斯かる第１の本発明によれば、ランプスペーサの幅寸法を０．１ｍｍ以上２ｍｍ未満としたのでこの線条光源からの照射光は遮断される光量を少なくして光透過拡散板に到達させることができ、加えてランプスペーサが円筒状ランプに接触しても管壁温度を低くするほどに熱量は奪われないのでランプスペーサの幅寸法の影響を受けて円筒状ランプの点灯直後の輝度の低下を来たすことはない。
【００２６】
斯かる第２の本発明によれば、ランプスペーサの幅寸法を２ｍｍとし、この複数の線条光源に対してランダムに取り付けることにより点灯直後のランプスペーサによる輝度の低下部分の集中が出光面全体に分散させられ円筒状ランプの点灯直後の輝度の低下を来たすことはない。
【発明を実施するための最良の形態】
【００２７】
以下、本発明の実施の形態例を添付図面を参照して説明する。
図１（Ａ），（Ｂ）、（Ｃ）に示す直下方式のバックライト装置の構成は、図７（Ａ），（Ｂ）、（Ｃ）において図示した従来の直下方式のバックライト装置の構成と同様であり、対応する部分は同一符号を付して示す。
【００２８】
図１（Ａ）は、本例の直下方式のバックライト装置を示す平面図であり、図１（Ｂ）は図１（Ａ）のＢ−Ｂ断面矢視図、図１（Ｃ）は図１（Ａ）のＣ−Ｃ断面矢視図を示している。
【００２９】
バックライト装置のランプハウスとなる筐体１は図１（Ａ）に示すように上面に開口部１ａを有する断面が台形状の箱状と成され、合成樹脂で一体成形するか、金属板或いは金属板と合成樹脂を組み合わせて作製される。
【００３０】
筐体１内面に高反射塗料を塗布するか、高反射フィルム材等を貼着させて反射面としての反射板２を形成する。
【００３１】
線条光源を構成する円筒状ランプ３は図１（Ｂ）、（Ｃ）に示すように筐体１の底面から１〜２ｍｍ程度離間した位置に保持されるように端部を射出成型で得た円筒状ランプ支持台５に固定されていて、配置する円筒状ランプ３の本数は要求される輝度によって決定される。
【００３２】
上記した各部品を組立て、上面に乳白色アクリル樹脂等を用いた乳白色光透過拡散板４を開口部１ａを覆うように配置させることでバックライト装置６が構成され、円筒状ランプ３から放射状に発した照射光及び反射板２で反射された反射光は乳白色光透過拡散板４に到達し、乳白色光透過拡散板４で面発光に変換される。
【００３３】
又、乳白色光透過拡散板４の表面には少なくとも１枚の光学シートとしての集光シート９が配設されて照光面の法線方向に光を集光させている。
【００３４】
又、乳白色光透過拡散板４の中央部分での撓みを防止するために筐体１内の底面からピン７が立設される。
【００３５】
本例においては、図１（Ａ）に示すように複数の並設された円筒状ランプ３に対し、円筒状ランプ３の１個毎に交互に違えて幅１ｍｍ、厚さ１〜２ｍｍのゴム等より成るランプスペーサ１０を千鳥状に嵌め込み取り付けている。取り付け位置においてランプスペーサ１０を円筒状ランプ３に嵌めることにより円筒状ランプ３が撓んだときに円筒状ランプ３と反射板２との間にランプスペーサ１０が介在されることになりこのランプスペーサ１０が円筒状ランプ３を支え自重による撓みを防止する。
【００３６】
ランプスペーサ１０は液晶表示装置の表示面の大型化、薄膜化に伴い円筒状ランプ３の長寸化及び小径化されつつある現状において、円筒状ランプ３の自重による撓みを防止するために重要である。
【００３７】
ランプスペーサ１０は、図１（Ａ）に示すように複数本の並設された円筒状ランプ３における取り付け位置を円筒状ランプ３の１個毎に交互に違えて千鳥状にして、円筒状ランプ３に固定されている。
【００３８】
図２は、図１（Ａ）のＢ−Ｂ線断面矢視方向の幅寸法を１ｍｍとしたランプスペーサ１０を円筒状ランプ３に取り付けたときの点灯直後の輝度分布特性曲線を示す。輝度分布特性曲線の矢印で指示した箇所ｏ、ｐは、図８で示した従来の幅寸法を２ｍｍとするランプスペーサ１０の輝度分布特性曲線よりも緩やかであり、輝度の低下量が少ないことが知れる。このように輝度分布特性曲線に著しい窪みは生ぜず輝度むらは生じなかった。
【００３９】
これはランプスペーサ１０の幅寸法を１ｍｍとすることにより円筒状ランプ３からの照射光の光量が減少されることなく光透過拡散板４に到達し、この光透過拡散板４から均一な面上光を出光させることができるからである。
【００４０】
また、ランプスペーサ１０の幅寸法を１ｍｍとすることにより円筒状ランプ３に接触することにより奪われる熱量は従来の幅寸法が２ｍｍのものより少なく管壁温度が低くなり円筒状ランプ３からの光量が落ちることを抑制できるからである。
【００４１】
円筒状ランプ３に対する１ｍｍ幅のランプスペーサ１０の有り無し箇所の夫々の点灯時間の経過に伴う管壁温度の推移の比較を図９を参照して説明する。
ａ曲線は円筒状ランプ３を点灯したときに点灯時間の経過と共に上昇する管壁温度を示し、幅寸法が１ｍｍ幅のランプスペーサ１０が設置されていない箇所の管壁温度の推移を示している。
【００４２】
これに対して、ｂ曲線は幅寸法が１ｍｍのランプスペーサ１０が設置されている箇所の点灯時間の経過と共に上昇する円筒状ランプ３の管壁温度の推移を示している。
【００４３】
図９に示す円筒状ランプ３に対する１ｍｍ幅のランプスペーサ１０の有り無し箇所の夫々の点灯時間の経過に伴う管壁温度の推移を示すａ曲線、ｂ曲線と、先に説明した２ｍｍ幅のランプスペーサ１０の有り無し箇所の夫々の点灯時間の経過に伴う管壁温度の推移を示すｃ曲線、ｄ曲線とを比較すると明らかなように、１ｍｍ幅のランプスペーサ１０の有り、無しによる管壁温度の低下の差は、２ｍｍ幅のランプスペーサ１０のその差よりも少なく、円筒状ランプ３にとって、１ｍｍ幅のランプスペーサ10の方が奪われる熱量が少ないことが明らかである。
【００４４】
従って、円筒状ランプ３の立ち上がり温度の低下をランプスペーサの幅寸法を１ｍｍとすることにより緩和することができ、円筒状ランプ３からの照射光の輝度の低下を防ぐことができる。
【００４５】
次に、図３（ａ）乃至（ｈ）を参照して円筒状ランプ３に１ｍｍの幅寸法を有するランプスペーサ１０を取り付けた場合に円筒状ランプ３からの照射光の時間の経過とともに変化する輝度の照光面における輝度分布特性曲線の夫々について説明する。
【００４６】
図３（ａ）乃至（ｄ）は、円筒状ランプ３の点灯直後の１分後、２分後、３分後、及び４分経過後の輝度分布特性曲線を夫々示し、図３（ｅ）乃至（ｈ）は、円筒状ランプ３の点灯５分後、１０分後、１５分後、及び２０分経過後の輝度分布特性曲線を夫々示す。
【００４７】
図３（ａ）乃至（ｄ）に示す円筒状ランプ３の点灯直後の１分後から４分後までの輝度分布特性曲線は、図３（ｅ）乃至（ｈ）に示す５分後から２０分後までの輝度分布特性曲線と比較して輝度むらや、光量が      減少して輝度が低下していることは認められない。
【００４８】
図４（Ａ）は、ランプスペーサ１０の取り付け位置の実施の形態の他の例を示し、複数本の並設された円筒状ランプ３におけるランプスペーサ１０の取り付け位置を隣接する円筒状ランプ３同士で夫々の長手方向の異なる箇所にランダムに定め、ランプスペーサ１０はこの円筒状ランプ３のランダム位置に固定される。
【００４９】
このため図４（Ｂ）に示すように図4（Ａ）のＡ−Ａ線断面矢視方向の４本の円筒状ランプ３に対しては、点灯直後の輝度はランプスペーサ１０ａ、１０ｂ、１０ｃ、１０ｄの取り付け箇所において輝度の低下部分の集中を照光面に分散させることができ、ランプスペーサ１０の取り付け箇所に応じた図４（Ｂ）の輝度分布特性曲線の矢印で指示した箇所ｏ、ｐ、ｑ、ｒは、いずれも緩やかな曲線を描くことになる。
【００５０】
図５（ａ）乃至（ｈ）は、複数の円筒状ランプ３の夫々に１ｍｍの幅寸法を有するランプスペーサ１０をランダムに取り付けた場合に複数の円筒状ランプ３からの照射光の時間の経過とともに照光面で変化する輝度の輝度分布特性曲線を夫々示す。
【００５１】
図５（ａ）乃至（ｄ）は、複数の円筒状ランプ３の点灯直後の１分後、２分後、３分後、及び４分経過後の照射面で変化する輝度の輝度分布特性曲線を夫々示し、図５（ｅ）乃至（ｈ）は、円筒状ランプ３の点灯５分後、１０分後、１５分後、及び２０分経過後の照射面で変化する輝度の輝度分布特性曲線を夫々示す。
【００５２】
複数の円筒状ランプ３の夫々に１ｍｍの幅寸法を有するランプスペーサ１０をランダムに取り付けた場合に、図５（ａ）乃至（ｄ）に示すように点灯直後の１分後から４分後までの輝度分布特性曲線は、図５（ｅ）乃至（ｈ）に示す５分後から２０分後までの輝度分布特性曲線と比較して輝度むらや、光量が減少し輝度が著しく低下していることは認められない。
【００５３】
上述した図１及び図４に示す実施の形態例においてランプスペーサ１０は、幅寸法を１ｍｍ、厚さ１〜２ｍｍのゴム等の弾性材を用いたが幅寸法は、０．１ｍｍ以上２ｍｍ未満の範囲であれば有効である。
【００５４】
ランプスペーサ１０の幅寸法が０．１ｍｍ未満であると細すぎて保持できず円筒状ランプ３が割れてしまうことが振動試験の結果明らかになった。又、幅寸法が２ｍｍ以上になると前記線条光源からの照射光が部分的に遮断され、光透過拡散板に到達する光量を減らすことになる。加えてランプスペーサ１０が円筒状ランプに接触して管壁温度を低くし、円筒状ランプ３の点灯直後の輝度の低下を来たすことになる。
【００５５】
次に、本発明の実施の形態の他の例として、図４に示すランプスペーサ１０をランダムに取り付けた場合であってランプスペーサ１０の幅寸法を２ｍｍとした場合について説明する。
図６（ａ）乃至（ｈ）は、複数の円筒状ランプ３からの照射光の時間の経過とともに照光面で変化する輝度の輝度分布特性曲線を夫々示す。
【００５６】
図６（ａ）乃至（ｄ）は、複数の円筒状ランプ３の点灯直後の１分後、２分後、３分後、及び４分経過後の照射面で変化する輝度の輝度分布特性曲線を夫々示し、図６（ｅ）乃至（ｈ）は、円筒状ランプ３の点灯５分後、１０分後、１５分後、及び２０分経過後の照射面で変化する輝度の輝度分布特性曲線を夫々示す。
【００５７】
複数の円筒状ランプ３の夫々に２ｍｍの幅寸法を有するランプスペーサ１０をランダムに取り付けた場合に、図６（ａ）乃至（ｄ）に示すように点灯直後の１分後から４分後までの輝度分布特性曲線は、図６（ｅ）乃至（ｈ）に示す５分後から２０分後までの輝度分布特性曲線と比較して輝度むらや、光量が減少し輝度が著しく低下していることは認められない。
【００５８】
本発明は上述例に限ることなく本発明の要旨を逸脱することなくその他の種々の構成が採り得ることは勿論であり、上述した本発明のバックライト装置によれば下記の効果が得られる。
（イ）線条光源からの点灯直後の照射光の輝度の低下による輝度分布特性曲線の輝度むらを生じることなくランプスペーサを用いて線条光源を支え線条光源の自重による撓みを防ぐことができるバックライト装置を得ることができる。
（ロ）ランプスペーサの幅寸法を０．１ｍｍ以上２ｍｍ未満とすることにより線条光源からの照射光を遮断する光量を減少させ、またはランプスペーサが線条光源に接触することによる温度低下を緩和することができ、線条光源からの照射光の輝度むらを防ぐことができる。
（ハ）複数の上記線条光源が並設されているとき上記ランプスペーサの取り付け位置を上記複数の線条光源に対してランダムに取り付けることにより点灯直後のランプスペーサの輝度の低下部分の集中を分散させることができる。
【図面の簡単な説明】
【００５９】
【図１】（Ａ）は本発明の一実施の形態を示す直下方式のバックライト装置を示す平面図である。  （Ｂ）は図１（Ａ）のＢ−Ｂ断面矢視図である。  （Ｃ）は図１（Ａ）のＣ−Ｃ断面矢視図である。
【図２】（Ａ）は、図１（Ａ）に示すＢ−Ｂ線断面矢視方向の複数の円筒状ランプの輝度分布特性曲線を示す。  （Ｂ）は、図１（Ａ）のＢ−Ｂ断面矢視図である。
【図３】本発明の一実施の形態を示す１ｍｍの幅寸法を有するランプスペーサを千鳥状に取り付けた場合の時間の経過とともに変化する円筒状ランプの輝度の照光面における輝度分布特性曲線を示す。
【図４】（Ａ）は、本発明の一実施の形態である１ｍｍの幅寸法を有するランプスペーサをランダムに円筒状ランプに取り付けた状態を示す平面図である。  （Ｂ）は、図４（Ａ）に示すＡ−Ａ線断面矢視方向の複数の円筒状ランプの輝度分布特性曲線を示す。  （Ｃ）は、図４（Ａ）のＡ−Ａ線断面矢視図である。
【図５】図4に示す１ｍｍの幅寸法を有するランプスペーサをランダムに円筒状ランプに取り付けた場合の時間の経過とともに照光面で変化する輝度の輝度分布特性曲線を夫々示す。
【図６】図４に示す１ｍｍの幅寸法のランプスペーサに代え２ｍｍの幅寸法有するランプスペーサをランダムに円筒状ランプに取り付けた場合の時間の経過とともに照光面で変化する輝度の輝度分布特性曲線を夫々示す。
【図７】（Ａ）は、従来の直下方式のバックライト装置を示す平面図である。  （Ｂ）は、図７（Ａ）のＢ−Ｂ線断面矢視図である。  （Ｃ）は、図７（Ａ）のＣ−Ｃ線断面矢視図である。
【図８】（Ａ）は、図７（Ａ）に示すＢ−Ｂ線断面矢視方向の複数の円筒状ランプの輝度分布特性曲線を示す。  （Ｂ）は、図７（Ａ）のＢ−Ｂ線断面矢視図である。
【図９】従来と本発明のランプスペーサの有り無し箇所の夫々の管壁温度の推移の比較を示す図である。
【図１０】図７（Ａ）に示す従来の２ｍｍの幅寸法を有するランプスペーサを千鳥状に取り付けた場合の時間の経過とともに変化する輝度の輝度分布特性曲線を夫々示す。
【符号の説明】
【００６０】
１…筐体、    ２…反射板、  ３…円筒状ランプ、    ４…光透過拡散板、  ５…円筒状ランプ支持台、  ６…バックライト装置、  １０…  ランプスペーサ  
【図１】
2005209475.tif 000003
【図２】
2005209475.tif 000004
【図３】
2005209475.tif 000005
【図４】
2005209475.tif 000006
【図５】
2005209475.tif 000007
【図６】
2005209475.tif 000008
【図７】
2005209475.tif 000009
【図８】
2005209475.tif 000010
【図９】
2005209475.tif 000011
【図１０】
2005209475.tif 000012